(57)【特許請求の範囲】
【請求項１】
ディスプレイパネルであって、透明領域と該透明領域を取り囲むボーダー領域とを備え、前記ボーダー領域が内表面と該内表面に対向して設けられる外表面とを備え、前記外表面が該透明領域から離れて延び且つ湾曲する弧状面であり、前記弧状面が光を前記ディスプレイパネルの外方に出射させるためのものであり、前記内表面に保護層が設けられ、前記保護層が前記弧状面に正投影することを特徴とするディスプレイパネル。
【請求項２】
前記保護層が、透明または半透明であることを特徴とする請求項１に記載のディスプレイパネル。
【請求項３】
前記保護層が、前記内表面にエッチングによって形成された艶消し層であることを特徴とする請求項２に記載のディスプレイパネル。
【請求項４】
前記保護層が、前記内表面に貼り付けられた透明な艶消しフィルム、または、スクリーン印刷によって形成された半透明インク層であることを特徴とする請求項２に記載のディスプレイパネル。
【請求項５】
前記透明領域が、裏面と該裏面に対向して設けられる保護面とを備え、前記裏面と前記内表面が互いに接続され、且つ、同一の平面に位置することを特徴とする請求項３または４に記載のディスプレイパネル。
【請求項６】
前記ディスプレイパネルが、透明ガラス板であることを特徴とする請求項１〜５のいずれかに記載のディスプレイパネル。
【請求項７】
バックライトモジュールと、バックライトモジュールに設けられる表示モジュールと、表示モジュールに設けられるディスプレイパネルとを備え、前記表示モジュールが表示領域と該表示領域を取り囲んで設けられる非表示領域とを備え、前記ディスプレイパネルが透明領域と該透明領域を取り囲むボーダー領域とを備え、前記ボーダー領域が内表面と外表面とを備え、前記外表面が前記透明領域から離れて延び且つ湾曲する弧状面であり、前記弧状面が光を前記ディスプレイパネルの外方に出射させるためのものであり、前記内表面に保護層が設けられ、前記保護層が前記弧状面に正投影し、前記ディスプレイパネルが前記表示モジュールを覆い、前記透明領域が前記表示領域を覆い、前記ボーダー領域が前記非表示領域を覆うことを特徴とする移動端末。
【請求項８】
前記保護層が、透明または半透明であることを特徴とする請求項７に記載のディスプレイパネル。
【請求項９】
前記保護層が、前記内表面にエッチングによって形成された艶消し層であることを特徴とする請求項８に記載の移動端末。
【請求項１０】
前記保護層が、前記内表面に貼り付けられた透明な艶消しフィルム、または、スクリーン印刷によって形成された半透明インク層であることを特徴とする請求項８に記載の移動端末。
【請求項１１】
前記透明領域が、裏面と該裏面に対向して設けられる保護面とを備え、前記裏面と前記内表面が互いに接続され、且つ、同一の平面に位置することを特徴とする請求項９または１０に記載の移動端末。
【請求項１２】
前記ディスプレイパネルが、透明ガラス板であることを特徴とする請求項７〜１１のいずれかに記載の移動端末。
【発明の詳細な説明】
【技術分野】
【０００１】
本出願は、２０１５年５月２９日に中国特許庁に提出された、「ディスプレイパネル及びディスプレイパネルを備える移動端末」と題する中国特許出願第２０１５１０２９０１９８．６号の優先権を主張するものであり、その全体が参照により本明細書に組み込まれる。
本発明は、ディスプレイパネル及びディスプレイパネルを備える移動端末に関する。
【背景技術】
【０００２】
液晶表示装置の製造技術の連続発展につれて、ユーザー体験を向上させるように、液晶表示装置のボーダーがますます狭くなる。市販される多くの移動端末においては、液晶ディスプレイスクリーンが使用されるが、移動端末のディスプレイスクリーンのサイズが大きくされ且つ外観が美しくされるために、移動端末のサイズに限りがある場合、移動端末のディスプレイスクリーンのボーダーが小さくされる必要がある。また、移動端末のガラスパネルのエッジが弧状面のように設計されることにより、視覚効果が補強されるが、ガラスパネルのエッジの弧状面に起因して、凸レンズ効果は招かれ、ガラスの下方に位置するディスプレイスクリーンにおけるエッジに隣接する表示領域の一部における光や画像は、拡大されまたは分解され、外観上、ガラスパネルのエッジには、虹が生じるため、表示領域のエッジにおける表示は変形し、表示領域全体の表示効果に影響は及ぼされる。
【発明の概要】
【０００３】
本発明は、表示領域のエッジにおける表示が変形し、ディスプレイの表示効果に影響が及ぼされることを回避できるディスプレイパネルを提供することを目的とする。本発明は、上記ディスプレイパネルを備える移動端末をさらに提供する。
【０００４】
本発明は、透明領域と該透明領域を取り囲むボーダー領域とを備え、上記ボーダー領域が内表面と該内表面に対向して設けられる外表面とを備え、上記外表面が該透明領域から離れて延び且つ湾曲する弧状面であり、上記内表面に保護層が設けられ、上記保護層が上記弧状面に正投影するディスプレイパネルを提供する。
【０００５】
上記保護層が、上記内表面にエッチングによって形成された艶消し層である。
【０００６】
上記保護層が、上記内表面に貼り付けられた透明な艶消しフィルム、または、スクリーン印刷によって形成された半透明インク層である。
【０００７】
上記透明領域が、裏面と該裏面に対向して設けられる保護面とを備え、上記裏面と上記内表面が互いに接続され、且つ、同一の平面に位置する。
【０００８】
上記ディスプレイパネルが、透明ガラス板である。
【０００９】
本発明は、バックライトモジュールと、バックライトモジュールに設けられる表示モジュールと、表示モジュールに設けられるディスプレイパネルとを備え、上記表示モジュールが表示領域と該表示領域を取り囲んで設けられる非表示領域とを備え、上記ディスプレイパネルが透明領域と該透明領域を取り囲むボーダー領域とを備え、上記ボーダー領域が内表面と外表面とを備え、上記外表面が上記透明領域から離れて延び且つ湾曲する弧状面であり、上記内表面に保護層が設けられ、上記保護層が上記弧状面に正投影し、上記ディスプレイパネルが上記表示モジュールを覆い、上記透明領域が上記表示領域を覆い、上記ボーダー領域が上記非表示領域を覆う移動端末を提供する。
【００１０】
上記保護層が、上記内表面にエッチングによって形成された艶消し層である。
【００１１】
上記保護層が、上記内表面に貼り付けられた透明な艶消しフィルム、または、スクリーン印刷によって形成された半透明インク層である。
【００１２】
上記透明領域が、裏面と該裏面に対向して設けられる保護面とを備え、上記裏面と上記内表面が互いに接続され、且つ、同一の平面に位置する。
【００１３】
上記ディスプレイパネルが、透明ガラス板である。
【００１４】
本発明に係るディスプレイパネルの上記ボーダー領域には、保護層が設けられるため、ボーダー領域に入射した光が上記保護層を透過して散乱し、弧状の外表面を経て出射し、視覚的に霧化効果が生じ、弧状の外表面による表示内容の変形が回避され、ユーザーにとって変形の表示内容が見えなくなり、表示効果が確保される。
【図面の簡単な説明】
【００１５】
本発明の実施形態に係る技術手段を一層明瞭に説明するために、以下、本発明の実施形態に必要な添付図面を簡単に紹介する。以下に説明される添付図面は、本発明の一部の実施形態に関するものだけであることが明らかであり、当業者にとっては、創造的な労働なしに、これらの図面から他の図面を得ることができる。
【図１】本発明の好適な実施形態に係るディスプレイパネルの概略断面図である。
【図２】図１に示すディスプレイパネルを備える移動端末の概略図であり、その可視表面がディスプレイパネルの透明保護層である。
【発明を実施するための形態】
【００１６】
以下、本発明の実施形態に係る添付図面を参照しながら、本発明の実施形態に係る技術手段を明瞭に、完全に説明する。ここで説明される実施形態は、本発明のすべての実施形態ではなく一部の実施形態だけであることが明らかである。本発明の実施形態から当業者が創造的な労働なしに得ることができるすべての他の実施形態は、本発明の範囲に属するものとする。
【００１７】
図１を参照しながら、本発明は、ディスプレイパネル及び移動端末を提供する。上記移動端末は、バックライトモジュール１０と、バックライトモジュール１０に設けられる表示モジュール１２と、表示モジュール１２に設けられるディスプレイパネル１５とを備える。上記表示モジュール１２は、表示領域１２１とこの表示領域を取り囲んで設けられる非表示領域１２２とを備える。上記ディスプレイパネル１５は、透明領域１５１とこの透明領域１５１を取り囲むボーダー領域１５２とを備える。上記ボーダー領域１５２は、内表面１５３とこの内表面１５３に対向して設けられる外表面１５４とを備える。上記外表面１５４は、透明領域１５１から離れて延び且つ湾曲する弧状面である。上記内表面１５３には、保護層１５５が設けられる。上記保護層１５５は、上記弧状面に正投影する。上記ディスプレイパネル１５は、上記表示モジュール１２を覆い、上記透明領域１５１が上記表示領域１２１を覆い、上記ボーダー領域１５２が上記非表示領域１２２を覆う。本実施形態において、上記ディスプレイパネル１５は、移動端末の表示モジュール１２を覆い、この表示モジュール１２を保護し、且つ、ディスプレイパネル１５にタッチすることにより、表示モジュール１２のインターフェースを操作できる。
【００１８】
本実施形態において、上記の弧状面を呈する外表面１５４は、表示領域から発光された光がディスプレイパネル１５の外へ屈折される場合、ユーザーの視角から見るとき、弧状面を経て出射する光が弧状面によって屈折された後、光をディスプレイパネルの外方に出射させることにより、ディスプレイパネルの光出射領域を表示モジュール１２の表示領域１２１よりも大きくし、非表示領域の幅を視覚的に低減するためのものである。
【００１９】
本実施形態において、上記ディスプレイパネル１５は、透明ガラス板である。上記ボーダー領域１５２と上記透明領域１５１は、一体成形された平板である。他の実施形態において、上記ボーダー領域１５２と上記透明領域１５１は、一定の傾斜角をなすように互いに接続され、外周側面を備えるディスプレイパネルを構成する。上記透明領域１５１は、裏面とこの裏面に対向して設けられる保護面とを備え、上記裏面と上記内表面１５３が互いに接続され、且つ、同一の平面に位置する。上記ボーダー領域１５２の外表面１５４は、保護面の周縁領域であり、つまり、上記外表面１５４が上記ディスプレイパネル１５の外周縁領域であり、面取り箇所であってもよく、ディスプレイパネル１５の外周側面であってもよい。上記バックライトモジュール１０と、表示モジュール１２と、ディスプレイパネル１５は、上記移動端末のディスプレイスクリーンを構成する。上記透明領域１５１は、上記表示モジュール１２の表示領域１２１に対向する。上記裏面は、上記表示モジュール１２を向き、上記保護面は、上記移動端末のディスプレイスクリーンの外表面である。
【００２０】
本発明の第一実施方式において、上記保護層１５５は、上記内表面１５３にエッチングによって形成された艶消し層である。つまり、エッチングによって内表面１５３全体が加工され、内表面には、顆粒を有する均一的に粗い艶消し層が形成される。艶消し層は、半透明であり、光が透過できるものである。他の実施形態において、保護層は、内表面が金鋼砂、珪砂、ガーネット粉末等の研磨材で機械的に研磨されまたは手動で研磨されることにより、均一的に粗く製造される表面であってもよい。
【００２１】
上記ディスプレイパネル１５のボーダー領域の弧状面があるため、表示モジュール１２の表示領域内に画像（絵や文字）が表示されるとき、非表示領域に隣接する表示内容は、弧状面での光の範囲の拡大のため、変形しており、表示効果に影響が及ぼされる。しかしながら、上記ボーダー領域１５２には、保護層１５５が設けられるため、ボーダー領域に入射した光が上記保護層を透過して散乱しており、散乱した光が弧状の外表面１５１を経て出射し、視覚的に霧化効果が生じ、表示内容の変形が回避され、ユーザーにとって変形の表示内容が見えなくなり、表示効果が確保される。
【００２２】
本発明の別の実施方式において、上記保護層１５５は、上記内表面１５２に貼り付けられた透明な艶消しフィルムである。上記艶消しフィルムは、半透明フィルムであるが、一方の表面が粗い平面であり、他方の表面に、保護層を内表面１５２に貼り付けるための接着剤である。ボーダー領域に入射した光は、艶消しフィルムである保護層を透過するとき、艶消しフィルムによって散乱しており、散乱した光が弧状の外表面１５１を経て出射し、表示内容の変形が回避される。
【００２３】
本発明の第三実施方式において、上記保護層１５５は、スクリーン印刷によって形成された半透明インク層である。本実施形態において、ディスプレイパネル１５が形成された後、半透明のインクが使用され、スクリーン印刷によって、上記内表面１５２に上記保護層１５５が形成される。
【００２４】
以上は、本発明の好適な実施方式に過ぎなく、本発明の技術的範囲を制限するものではない。当業者は、上記実施形態の全部または一部のフローチャートを理解し且つ達成することができ、また、本発明の要旨を逸脱しない場合行われる変更は、依然として本発明の技術的範囲に属するものである。
【図１】
0006412264.tif 000002
【図２】
0006412264.tif 000003